(57)【要約】【課題】従来の着信音レベル制御よりも周囲の状況により適合した制御を行うことにより着信音によって周囲の人に与える不快感の更なる低減を実現することができる携帯端末装置を得る。【解決手段】携帯端末装置に着信があってからユーザが着信に応答するまでの間、一定時間間隔で携帯端末装置のカメラからの映像信号を基に周囲の明るさを判定する。周囲が明るい場合には現在の着信音量を一段階下げ（ステップＡ１０）、周囲が暗い場合には現在の着信音量を一段階上げるようにする（ステップＡ１１）。【選択図】      図３
2005020655.tif 000002
【特許請求の範囲】
【請求項１】
カメラ部と音声出力部とを含む携帯端末装置であって、
前記カメラ部からの映像信号を基に周囲が明るいか否かを判定する判定手段と、
前記判定手段の判定結果に応じて前記音声出力部の出力音量を制御する制御手段とを含み、
前記判定手段は一定時間間隔で周囲が明るいか否かを判定し、前記制御手段は前記判定手段による判定がなされる度にその判定結果に応じて、既に制御された前記出力音量を所定値だけ増加又は減少せしめることを特徴とする携帯端末装置。
【請求項２】
カメラ部を含む携帯端末装置であって、
前記カメラ部からの映像信号を基に１フレームを構成する処理ブロック各々の輝度を算出する算出手段と、前記算出手段により算出された前記処理ブロック各々の輝度を基に周囲の明るさを判定する判定手段とを含むことを特徴とする携帯端末装置。
【請求項３】
前記算出手段は、１フレーム中の一部の処理ブロックについてのみ輝度を算出するようにしたことを特徴とする請求項２記載の携帯端末装置。
【請求項４】
前記判定手段は、前記処理ブロック各々の輝度を所定の閾値と比較し、前記閾値を超える輝度を有する処理ブロックの数を基に周囲の明るさを判定することを特徴とする請求項２又は３記載の携帯端末装置。
【請求項５】
音声出力部と、前記判定手段の判定結果に応じて前記音声出力部の出力音量を制御する制御手段とを更に含むことを特徴とする請求項２〜４いずれか記載の携帯端末装置。
【請求項６】
前記出力音量は、電話着信又はメール受信をユーザに報知するための報知音の音量であることを特徴とする請求項１又は５記載の携帯端末装置。
【請求項７】
表示部を更に含み、前記制御手段は前記判定手段の判定結果に応じて前記表示部の明るさを制御することを特徴とする請求項１，５及び６いずれか記載の携帯端末装置。
【請求項８】
カメラ部と音声出力部とを含む携帯端末装置の動作制御方法であって、
前記カメラ部からの映像信号を基に周囲が明るいか否かを判定する判定ステップと、
前記判定ステップの判定結果に応じて前記音声出力部の出力音量を制御する制御ステップとを含み、
前記判定ステップによる判定は一定時間間隔でなされ、前記制御ステップにおいて、前記判定ステップによる判定がなされる度にその判定結果に応じて、既に制御された前記出力音量が所定値だけ増加又は減少されることを特徴とする動作制御方法。
【請求項９】
カメラ部を含む携帯端末装置の動作制御方法であって、
前記カメラ部からの映像信号を基に１フレームを構成する処理ブロック各々の輝度を算出する算出ステップと、前記処理ブロック各々の輝度を基に周囲の明るさを判定する判定ステップとを含むことを特徴とする動作制御方法。
【請求項１０】
前記算出ステップは、１フレーム中の一部の処理ブロックについてのみ輝度を算出するようにしたことを特徴とする請求項９記載の動作制御方法。
【請求項１１】
前記判定ステップは、前記処理ブロック各々の輝度を所定の閾値と比較し、前記閾値を超える輝度を有する処理ブロックの数を基に周囲の明るさを判定することを特徴とする請求項９又は１０記載の動作制御方法。
【請求項１２】
前記判定ステップの判定結果に応じて前記携帯端末装置の音声出力部の出力音量を制御する制御ステップを更に含むことを特徴とする請求項９〜１１いずれか記載の動作制御方法。
【請求項１３】
前記出力音量は、電話着信又はメール受信をユーザに報知するための報知音の音量であることを特徴とする請求項８又は１２記載の動作制御方法。
【請求項１４】
前記判定ステップの判定結果に応じて前記携帯端末装置の表示部の明るさを制御することを特徴とする請求項８，１２及び１３いずれか記載の動作制御方法。
【請求項１５】
カメラ部と音声出力部とを含む携帯端末装置の動作制御方法をコンピュータに実行させるためのプログラムであって、
前記カメラ部からの映像信号を基に周囲が明るいか否かを判定する判定ステップと、
前記判定ステップの判定結果に応じて前記音声出力部の出力音量を制御する制御ステップとを含み、
前記判定ステップによる判定は一定時間間隔でなされ、前記制御ステップにおいて、前記判定ステップによる判定がなされる度にその判定結果に応じて、既に制御された前記出力音量が所定値だけ増加又は減少されることを特徴とするプログラム。
【請求項１６】
カメラ部を含む携帯端末装置の動作制御方法をコンピュータに実行させるためのプログラムであって、
前記カメラ部からの映像信号を基に１フレームを構成する処理ブロック各々の輝度を算出する算出ステップと、前記処理ブロック各々の輝度を基に周囲の明るさを判定する判定ステップとを含むことを特徴とするプログラム。
【発明の詳細な説明】
【０００１】
【発明の属する技術分野】
本発明は携帯端末装置、その動作制御方法及びプログラムに関し、特に撮像を行うカメラ部を有する携帯端末装置に関する。
【０００２】
【従来の技術】
最近、携帯電話機等の携帯端末装置にカメラの機能が搭載されるようになった。特に折り畳み式の携帯端末装置においては、キーボードやＬＣＤのある前面にカメラがあり、またサブＬＣＤ側で折り畳んだ時でも外側になる背面カメラの２つが搭載されている。これらカメラでは、デジタルカメラと同様に静止画の撮影や動画の撮影が可能になっている。
【０００３】
２つ搭載されたカメラのうち背面側のカメラは、折り畳んだ状態でも外側に向いているが、この状態ではカメラは動作していない状況にある。しかし、必要に応じてこのカメラ機能を使用することは可能であり、携帯端末装置が置かれている状況をある程度把握することができる。
【０００４】
一方、携帯端末装置のユーザーは通常、携帯端末装置をポケット、あるいはカバンの中に収納しており、そのときに着信音が鳴ることが多い。そして、着信音が鳴るとユーザーは携帯端末装置を取り出し通話ボタンを押す。この一連の動きを周囲の人が聞いた場合、カバンの中に収納しているときは着信音が小さく聞こえるが、カバンから取り出したとき、急に着信音が大きく聞こえて耳障りである。
【０００５】
着信音によって周囲の人に与える不快感を抑制することを目的とした技術として、例えば特許文献１に記載の技術がある。特許文献１では、携帯電話装置が有するカメラからの撮像信号に基づいて周囲の明るさを判定するようにしている。そして、周囲が暗い場合には着信音レベルを当初設定してあったレベルとし、周囲が明るい場合には着信音レベルを当初設定してあったレベルより小のレベルとするようにしている。
【０００６】
【特許文献１】
特開２０００−１８４０１３号公報（第２−４頁、第１図）
【０００７】
【発明が解決しようとする課題】
しかしながら、時間の経過と共により細かな着信音レベル制御を行い、あるいは周囲の明るさをより正確に判定することにより、上述のような制御よりも周囲の状況により適合した制御を行うことが望まれる。
【０００８】
本発明の目的は、従来の着信音レベル制御よりも周囲の状況により適合した制御を行うことにより着信音によって周囲の人に与える不快感の更なる低減を実現することができる携帯端末装置、その動作制御方法及びプログラムを提供することである。
【０００９】
【課題を解決するための手段】
本発明による携帯端末装置は、カメラ部と音声出力部とを含む携帯端末装置であって、前記カメラ部からの映像信号を基に周囲が明るいか否かを判定する判定手段と、前記判定手段の判定結果に応じて前記音声出力部の出力音量を制御する制御手段とを含み、前記判定手段は一定時間間隔で周囲が明るいか否かを判定し、前記制御手段は前記判定手段による判定がなされる度にその判定結果に応じて、既に制御された前記出力音量を所定値だけ増加又は減少せしめることを特徴とする。
【００１０】
本発明による別の携帯端末装置は、カメラ部を含む携帯端末装置であって、前記カメラ部からの映像信号を基に１フレームを構成する処理ブロック各々の輝度を算出する算出手段と、前記算出手段により算出された前記処理ブロック各々の輝度を基に周囲の明るさを判定する判定手段とを含むことを特徴とする。また、前記算出手段は、１フレーム中の一部の処理ブロックについてのみ輝度を算出するようにしたことを特徴とする。
【００１１】
前記携帯端末装置及び前記別の携帯端末装置において、前記出力音量は、電話着信又はメール受信をユーザに報知するための報知音の音量であることを特徴とする。また、表示部を更に含み、前記制御手段は前記判定手段の判定結果に応じて前記表示部の明るさを制御することを特徴とする。
【００１２】
このように、一定時間間隔で明るさ判定を行って音声出力部の出力音量を制御するようにしているので、時間の経過と共に変化する周囲の状況に適合した着信音量の制御を行うことができ、よって、周囲の人に与える不快感の更なる低減を図ることができる。
【００１３】
また、携帯端末装置が有するカメラが出力する輝度・色差信号のうちの輝度信号を所定の処理ブロック単位で信号処理することにより、１フレームを構成する処理ブロック各々の輝度を算出するようにしているので、より詳細に周囲の明るさを判定することができ、よって、周囲の人に与える不快感の更なる低減を図ることができる。
【００１４】
【発明の実施の形態】
以下、本発明の実施例について図面を参照して説明する。
【００１５】
図１は本発明の実施例による携帯端末装置の外観を示す図であり、（ａ）は携帯端末装置が折り畳まれていない状態を示す図であり、（ｂ）は折り畳まれた状態を示す図である。
【００１６】
図１（ａ）において、本発明の実施例による携帯端末装置は、本体部１と蓋部２とがヒンジ部３で互いに折り畳み可能な折り畳み構造を持ち、ヒンジ部３を軸として、図１（ａ）に示す矢印方向に端末装置を折り畳んだり開いたりすることが可能である。４は無線電波の送受信を行うアンテナである。本体部１にはユーザ操作のための操作部５とマイク８が設けられている。蓋部２には第１の表示部６、スピーカ９及び第１のカメラ１０が搭載されている。また、図１（ｂ）に示すように、蓋部２の第１の表示部６が設けられている面と反対側の面に第２の表示部７と第２のカメラ１１が設けられている。
【００１７】
図２は本発明の実施例による携帯端末装置の構成を示す図であり、図１と同等部分は同一符号にて示している。図２に示すように、本発明の実施例による携帯端末装置は、アンテナ４と、無線部（送受信データ処理部）１２と、表示部（ＬＣＤ）６及び７と、マイク８と、スピーカ（音声出力部）９と、カメラ１０及び１１と、操作部５と、算出部１３と、判定部１４と、制御部１５と、記憶部１６とを有している。
【００１８】
カメラ１０及び１１はそれぞれ、携帯端末装置に実装された携帯端末用のカメラであり、撮影した映像をＹＣＢＣＲのデータに変換して出力する機能を持っている。カメラ１０及び１１各々から出力される映像信号は制御部１５で処理され、表示部６及び７はそれぞれ、制御部１５で処理された映像信号を表示することができる。操作部５は、携帯端末装置のキー入力装置であり、テンキー、カーソルキーやファンクションキー等を備える。スピーカ９は、携帯端末装置への着信時には着信音を鳴動してユーザに着信を報知する。
【００１９】
算出部１３は、第２のカメラ１１からの映像信号を基に端末装置周囲の輝度レベルを算出する。判定部１４は、算出部１３の算出結果と規定値とを比較して端末装置周囲の明るさを判定する。制御部１５は、記憶部１６に記憶されているプログラムの動作手順に従って動作して携帯端末装置の各部の制御を行うものであって、ＣＰＵ（コンピュータ）からなる。以下に説明する本実施例の動作処理手順は、予めプログラムとして記憶部１６に格納しておくことで、制御可能である。
【００２０】
次に、本発明の実施例による携帯端末装置の動作について図面を参照して説明する。図３は本発明の実施例による携帯端末装置の動作を示すフローチャートである。
【００２１】
図３に示すように、携帯端末装置に着信があると（ステップＡ１，ＹＥＳ）、算出部１３は、第２のカメラ１１からの映像信号を基に端末装置周囲の輝度レベルを算出する（ステップＡ２）。そして、判定部１４は、算出部１３の算出結果と規定値とを比較して端末装置周囲の明るさを判定する（ステップＡ３）。
【００２２】
図５〜図７は算出部１３により算出された輝度レベルと規定値とを比較する明るさ判定について説明するための図である。図５に示すように、算出された輝度レベルが規定値より大であれば周囲が明るいと判定し、算出された輝度レベルが規定値以下であれば周囲が暗いと判定する。この規定値は必要に応じてレベルを変更することができる。また、図６及び７に示すように、周囲が暗い状態から明るい状態へ変化したときに用いる規定値、明るい状態から暗い状態へ変化したときに用いる規定値をそれぞれ個別に設定するようにしてもよい。
【００２３】
図３に戻り、周囲輝度レベルが規定値より大であれば、すなわち周囲が明るいならば（ステップＡ３，ＹＥＳ）、制御部１５は、スピーカ９に所定の小音量で着信音の鳴動を開始させる（ステップＡ４）。一方、周囲輝度レベルが規定値以下であれば、すなわち周囲が暗いならば（ステップＡ３，ＮＯ）、制御部１５は、スピーカ９に所定の大音量で着信音の鳴動を開始させる（ステップＡ５）。
【００２４】
ここで、ユーザが操作部５の所定のキーを押下することにより着信に応答すると（ステップＡ６，ＹＥＳ）、制御部１５の制御により着信音の鳴動が停止され通話処理がなされる  （ステップＡ１４及びＡ１５）。
【００２５】
一方、ユーザが着信に応答することなくステップＡ２及びＡ３の明るさ判定処理から一定時間経過すると（ステップＡ６及びＡ７）、再び明るさ判定処理が行われることになる。すなわち、ステップＡ２と同様に算出部１３により周囲輝度レベルの算出が再びなされ（ステップＡ８）、ステップＡ３と同様に判定部１４により周囲が明るいか否かが判定される（ステップＡ９）。
【００２６】
周囲が明るいならば（ステップＡ９，ＹＥＳ）、制御部１５は、スピーカ９から出力される着信音量を一段階下げるよう制御を行う（ステップＡ１０）。これにより着信音量が所定値だけ小さくなる。一方、周囲が暗いならば（ステップＡ９，ＮＯ）、制御部１５は着信音量を一段階上げるよう制御を行う（ステップＡ１１）。これにより着信音量が所定値だけ大きくなる。
【００２７】
ここで、ユーザが着信に応答すると（ステップＡ１２，ＹＥＳ）、制御部１５の制御により着信音の鳴動が停止され通話処理がなされる（ステップＡ１４及びＡ１５）。
【００２８】
一方、ユーザが着信に応答することなくステップＡ８及びＡ９の明るさ判定処理から一定時間経過すると（ステップＡ１２及びＡ１３）、再び明るさ判定処理が行われ、判定部１４の判定結果に応じて着信音量が一段階増加または減少されることになる。
【００２９】
このように、図３に示した動作例では、一定時間間隔で明るさ判定を行って着信音量を制御するようにしているので、時間の経過と共に変化する周囲の状況に適合した着信音量の制御を行うことができる。また、従来の上述した制御において、明るさ判定に用いる基準レベルを複数設け、着信音量を複数段階で切替える制御を行う場合、周囲の明るさが大きく変化するとこれに伴って着信音量も大きく変化してしまうことがある。しかし、図３に示した動作例では、周囲の明るさがどれだけ大きく変化しようとも、着信音量は一段階増加または減少されるだけであるので、着信音量が大きく変化してしまうことを防止することができ、よって、着信音によって周囲の人に与える不快感の更なる低減を図ることが可能である。
【００３０】
なお、図３に示した動作例では、着信があったときに（ステップＡ１）、ステップＡ２以下の処理が行われるが、メール受信時にステップＡ２以下の処理を行うようにしてもよい。この場合、ステップＡ４，Ａ５，Ａ１０及びＡ１１における制御対象はメール受信をユーザに報知するためのメール受信通知メッセージの出力音量となり、また、ステップＡ１５の通話処理は行われない。
【００３１】
また、図３に示した動作例では、携帯端末装置の背面に設けられた第２のカメラ１１からの映像信号を基に明るさ判定が行われているが、第１のカメラ１０を用いてもよい。例えば、携帯端末装置が折り畳まれていない状態にあれば、第１のカメラ１０からの映像信号を基に明るさ判定を行うようにしてもよい。
【００３２】
さらに、判定部１４の判定結果に応じて着信音量を制御するだけでなく、第２の表示部７の明るさを制御するようにしてもよい。例えば、周囲が暗い場合は、第２の表示部７の明るさを若干暗くする。ユーザーは暗い場所では第２の表示部７の明るさが若干暗くても画面表示を見ることができる。逆に周囲が明るい場合は、第２の表示部７の明るさを明るくする。ユーザーは明るい場所では第２の表示部７の明るさが明るくしないと画面表示を見ることができない。
【００３３】
以下、判定部１４の判定結果に応じて第２の表示部７の明るさを制御する動作について図面を参照して説明する。図４は本発明の実施例による携帯端末装置の別の動作を示すフローチャートである。
【００３４】
図４に示すように、携帯端末装置に着信があると（ステップＢ１，ＹＥＳ）、算出部１３は、第２のカメラ１１からの映像信号を基に端末装置周囲の輝度レベルを算出する（ステップＢ２）。そして、判定部１４は、算出部１３の算出結果と規定値とを比較して端末装置周囲の明るさを判定する（ステップＢ３）。
【００３５】
周囲が暗いならば（ステップＢ３，ＹＥＳ）、制御部１５は、第２の表示部７の図示せぬバックライトの輝度を制御して第２の表示部７の明るさを暗くする（ステップＢ４）。一方、周囲が明るいならば（ステップＢ３，ＮＯ）、制御部１５は、バックライトの輝度を制御して第２の表示部７の明るさを明るくする（ステップＢ５）。
【００３６】
ここで、ユーザが着信に応答すると（ステップＢ６，ＹＥＳ）、制御部１５の制御によりバックライトが消灯され通話処理がなされる（ステップＢ１４及びＢ１５）。
【００３７】
一方、ユーザが着信に応答することなくステップＢ２及びＢ３の明るさ判定処理から一定時間経過すると（ステップＢ６及びＢ７）、再び明るさ判定処理が行われることになる。すなわち、ステップＢ２と同様に算出部１３により周囲輝度レベルの算出が再びなされ（ステップＢ８）、ステップＢ３と同様に判定部１４により周囲が明るいか否かが判定される（ステップＢ９）。
【００３８】
周囲が暗いならば（ステップＢ９，ＹＥＳ）、制御部１５は、バックライトの輝度を制御して第２の表示部７の明るさを一段階暗くする（ステップＢ１０）。一方、周囲が明るいならば（ステップＢ３，ＮＯ）、制御部１５は、バックライトの輝度を制御して第２の表示部７の明るさを一段階明るくする（ステップＢ１１）。
【００３９】
ここで、ユーザが着信に応答すると（ステップＢ１２，ＹＥＳ）、制御部１５の制御によりバックライトが消灯され通話処理がなされる（ステップＢ１４及びＢ１５）。
【００４０】
一方、ユーザが着信に応答することなくステップＢ８及びＢ９の明るさ判定処理から一定時間経過すると（ステップＢ１２及びＢ１３）、再び明るさ判定処理が行われ、判定部１４の判定結果に応じて表示部７の輝度が一段階上げられまたは下げられることになる。
【００４１】
なお、図４に示した動作例では、着信があったときに（ステップＢ１）、ステップＢ２以下の処理が行われるが、メール受信時にステップＢ２以下の処理を行うようにしてもよい。この場合、ステップＢ１５の通話処理は行われない。
【００４２】
また、図４に示した動作例では、携帯端末装置の背面に設けられた第２のカメラ１１からの映像信号を基に明るさ判定が行われているが、第１のカメラ１０を用いてもよい。例えば、携帯端末装置が折り畳まれていない状態にあれば、第１のカメラ１０からの映像信号を基に明るさ判定を行うようにしてもよい。
【００４３】
さらに、図４に示した動作例では、判定部１４の判定結果に応じて第２の表示部７の明るさを制御するようにしているが、第１の表示部６の明るさを制御するようにしてもよい。例えば、携帯端末装置が折り畳まれていない状態にあれば、判定部１４の判定結果に応じて第１の表示部６の明るさを制御する、あるいは表示部６及び７両方の明るさを制御するようにしてもよい。
【００４４】
図３及び図４に示した動作例における明るさ判定処理は、より正確に周囲の明るさを判定するために、以下に図面を参照して説明するようにして行うようにしてもよい。
【００４５】
すなわち、算出部１３は第２のカメラ１１からの映像信号を所定の処理ブロック単位で信号処理することにより、１フレームを構成する処理ブロック各々の輝度を算出する。そして、判定部１４は、処理ブロック各々の輝度と規定値とを比較し、規定値を超える輝度を有する処理ブロック（明るいブロック）の数が例えば１フレームを構成する処理ブロックの半数以上であれば周囲が明るいと判定する。なお、図８は１フレームを構成する処理ブロックを示す図であり、図９は１フレーム中の約半分が明るく約半分が暗くなっている場合を示す図である。
【００４６】
図１０は図３の動作の変形例を示すフローチャートであり、図３と同等部分は同一符号にて示している。図１０に示すように、ステップＡ１の後、算出部１３は第２のカメラ１１からの映像信号を基に１フレームを構成する全処理ブロック各々の輝度を算出する（ステップＡ２１）。判定部１４は、１フレームを構成する全処理ブロック各々の輝度と規定値とを比較する（ステップＡ２２）。
【００４７】
判定部１４は、明るいブロックの数が例えば１フレームを構成する全処理ブロックの半数以上であれば（ステップＡ２３，ＹＥＳ）、周囲が明るいと判定し、ステップＡ４に進む。一方、明るいブロックの数が例えば１フレームを構成する全処理ブロックの半数未満であれば（ステップＡ２３，ＮＯ）、周囲が暗いと判定し、ステップＡ５に進む。ステップＡ３１〜Ａ３３においても、ステップＡ２１〜Ａ２３と同様の処理が行われる。
【００４８】
なお、ユーザが着信に応答しない限り一定時間間隔で明るさ判定処理がなされるが、明るさ判定処理は１フレーム毎に行うようにしてもよいし、数フレーム毎に行うようにしてもよい。
【００４９】
このように、１フレームの処理ブロック各々の輝度を算出し、処理ブロック各々について明るいか否か判定するようにしているので、１フレーム中の明るい画面、暗い画面の割合を判定しながら、より細かな明るさ判定が可能となり、よって、着信音によって周囲の人に与える不快感の更なる低減を図ることが可能である。
【００５０】
図１１は図４の動作の変形例を示すフローチャートであり、図４と同等部分は同一符号にて示している。図１１に示すように、ステップＢ１の後、算出部１３は第２のカメラ１１からの映像信号を基に１フレームを構成する全処理ブロック各々の輝度を算出する（ステップＢ２１）。判定部１４は、１フレームを構成する全処理ブロック各々の輝度と規定値とを比較する（ステップＢ２２）。
【００５１】
判定部１４は、明るいブロックの数が例えば１フレームを構成する全処理ブロックの半数未満であれば（ステップＢ２３，ＹＥＳ）、ステップＢ４に進む。一方、明るいブロックの数が例えば１フレームを構成する全処理ブロックの半数以上であれば（ステップＢ２３，ＮＯ）、ステップＢ５に進む。ステップＢ３１〜Ｂ３３においても、ステップＢ２１〜Ｂ２３と同様の処理が行われる。
【００５２】
なお、図１０及び図１１に示した動作例では、明るさ判定処理において１フレームを構成する全処理ブロック各々の輝度を算出するようにしているが、１フレーム中の一部の処理ブロックについてのみ輝度を算出するようにしてもよい。例えば、１フレームの４隅の処理ブロックの輝度のみ算出し、明るいブロックが２つ以上ならば周囲が明るいと判定し、明るいブロックが１つだけならば暗いと判定することが考えられる。
【００５３】
【発明の効果】
本発明による効果は、従来の着信音レベル制御よりも周囲の状況により適合した制御を行うことにより着信音によって周囲の人に与える不快感の更なる低減を実現することができることである。
【００５４】
その理由は、一定時間間隔で明るさ判定を行って音声出力部の出力音量を制御するようにしているので、時間の経過と共に変化する周囲の状況により適合した制御を行うことができるためである。
【００５５】
また、携帯端末装置が有するカメラが出力する輝度・色差信号のうちの輝度信号を所定の処理ブロック単位で信号処理して、１フレームを構成する処理ブロック各々の輝度を算出することにより、より詳細に周囲の明るさを判定することができるので、周囲の状況により適合した制御を行うことができるためである。
【図面の簡単な説明】
【図１】本発明の実施例による携帯端末装置の外観を示す図であり、（ａ）は携帯端末装置が折り畳まれていない状態を示す図であり、（ｂ）は折り畳まれた状態を示す図である。
【図２】本発明の実施例による携帯端末装置の構成を示す図である。
【図３】本発明の実施例による携帯端末装置の動作を示すフローチャートである。
【図４】本発明の実施例による携帯端末装置の別の動作を示すフローチャートである。
【図５】本発明の実施例による明るさ判定について説明するための図である。
【図６】本発明の実施例による明るさ判定について説明するための図である。
【図７】本発明の実施例による明るさ判定について説明するための図である。
【図８】１フレームを構成する処理ブロックを示す図である。
【図９】１フレーム中の約半分が明るく約半分が暗くなっている場合を示す図である。
【図１０】図３の動作の変形例を示すフローチャートである。
【図１１】図４の動作の変形例を示すフローチャートである。
【符号の説明】
１    本体部
２    蓋部
３    ヒンジ部
４    アンテナ
５    操作部
６，７    表示部
８    マイク
９    スピーカ
１０，１１    カメラ
１２    無線部
１３    算出部
１４    判定部
１５    制御部
１６    記憶部
【図１】
2005020655.tif 000003
【図２】
2005020655.tif 000004
【図３】
2005020655.tif 000005
【図４】
2005020655.tif 000006
【図５】
2005020655.tif 000007
【図６】
2005020655.tif 000008
【図７】
2005020655.tif 000009
【図８】
2005020655.tif 000010
【図９】
2005020655.tif 000011
【図１０】
2005020655.tif 000012
【図１１】
2005020655.tif 000013